(57)【要約】【課題】建築材の表面柄繰返し単位の中のその表面柄の特徴をよく表す部分を初期表示ユニットとして記憶しておいて、その表面柄を表示する際には、まずその初期表示ユニットを表示することができる建築材設計支援システム及びプログラムを提供すること。【解決手段】表面柄繰返しユニットＣＵの中の初期表示領域データである初期表示ユニットＤＵを記憶する表面柄パターンデータファイルを備え、各表面柄パターンを選択して表示する際に、表面柄繰返しユニットＣＵの中のその表面柄の特徴をよく表す領域を初期表示ユニットＤＵとして最初に表示する建築材設計支援システム。【選択図】図５
2006155046.tif 000002
【特許請求の範囲】
【請求項１】
表面柄の繰り返し単位である表面柄繰返しユニットの表面柄パターンデータ及びその中の初期表示領域データである初期表示ユニットを記憶する表面柄パターンデータファイルと、
テクスチャパターンを記憶するテクスチャパターンデータファイルと、
目地色パターンを記憶する目地色パターンデータファイルと、
前記表面柄パターンデータファイルに記録されている表面柄パターンの１つを選択してその初期表示ユニット領域を読み出す表面柄パターン選択手段と、
前記テクスチャパターンデータファイルに記録されているテクスチャパターンを選択して読み出すテクスチャパターン選択手段と、
前記目地色パターンデータファイルに記録されている目地色パターンの１つを選択して読み出す目地色パターン選択手段と、
前記表面柄パターン選択手段によって読み出した表面柄パターンの凸部に前記テクスチャパターン選択手段によって読み出したテクスチャパターンを割り当て、表面柄パターンの目地部に前記目地色パターン選択手段によって読み出した目地色を割り当てる画像合成手段と、
該画像合成手段によって表面柄パターンにテクスチャパターン及び目地色パターンが割り当てられた表面柄を表示する表示手段と、
該表示手段によって表示されている表面柄をスクロールするスクロール手段と
を備えることを特徴とする建築材設計支援システム。
【請求項２】
前記テクスチャパターン選択手段は、複数のテクスチャパターンを選択して、各テクスチャパターンの割り付け割合を指定することを特徴とする請求項１記載の建築材設計支援システム。
【請求項３】
コンピュータを、
表面柄の繰り返し単位である表面柄繰返しユニットの表面柄パターンデータ及びその中の初期表示領域データである初期表示ユニットを記憶する表面柄パターンデータファイルと、テクスチャパターンを記憶するテクスチャパターンデータファイルと、目地色パターンを記憶する目地色パターンデータファイルと、前記表面柄パターンデータファイルに記録されている表面柄パターンの１つを選択してその初期表示ユニット領域を読み出す表面柄パターン選択手段と、前記テクスチャパターンデータファイルに記録されているテクスチャパターンを選択して読み出すテクスチャパターン選択手段と、前記目地色パターンデータファイルに記録されている目地色パターンの１つを選択して読み出す目地色パターン選択手段と、前記表面柄パターン選択手段によって読み出した表面柄パターンの凸部に前記テクスチャパターン選択手段によって読み出したテクスチャパターンを割り当て、表面柄パターンの目地部に前記目地色パターン選択手段によって読み出した目地色を割り当てる画像合成手段と、該画像合成手段によって表面柄パターンにテクスチャパターン及び目地色パターンが割り当てられた表面柄を表示する表示手段と、該表示手段によって表示されている表面柄をスクロールするスクロール手段とを備えることを特徴とする建築材設計支援システム
として機能させるためのプログラム。
【発明の詳細な説明】
【技術分野】
【０００１】
本発明は、建物の外壁部や屋根部に施工される外壁板や屋根材等の建築材のデザインを設計支援する建築材設計支援システム及びプログラムに関し、特に、少ない記憶装置を使うだけで多くのサンプルから希望のデザインを選択することができる建築材設計支援システム及びプログラムに関する。
【背景技術】
【０００２】
従来、建物外観をシミュレートする家屋コーディネート支援システムとして、いくつかの建物外観パターンと、その外壁部や屋根部に施工される外壁板や屋根材等の建築材の外観パターンを用意しておき、モニタ画面上に表示した所定の建物外観パターンに対して、選択したいくつかの建築材の外観パターンを貼り付けていくことにより、建物の外壁部や屋根部の施工が行われた状態、すなわち、建物外観をシミュレートするものがある（例えば、特許文献１、２参照）。
【０００３】
そこで貼り付けていく外壁板や屋根材等の建築材の外観パターンは、既存商品群の中から選択された個々の商品の平面画像データであり、それらを拡大、縮小、回転などの画像処理を施して、所定の建物外観パターンに貼り付けるようになっている。具体的に個々の建築材の外観パターンとしては、例えば、凸部と目地部の区割り状態が示された表面柄と、凸部の質感を表現するテクスチャと、そのカラー情報等が統合された１つの平面画像データが使用される。ここでの貼り付けに使用される平面画像データは、固定データである。
【０００４】
また、外壁板や屋根材などの建築材自体のデザインを設計支援する建築材設計支援システムとして、同じくモニタを使用して、画面上において、使用される建築材の外観パターンを設計するものがある（例えば、特許文献３参照）。そこでは、表面柄と前記テクスチャとを統合した概念をテクスチャとして取り扱い、そのカラー情報を変化させるようにしているので、所定の表面柄に対して、テクスチャが同じ場合でも、異なった様相の外観パターンを設計することができる。すなわち、ここでの貼り付けに使用される平面画像データは、所定のカラー情報が付加された変動データである。
【特許文献１】特許第３００２６６６号公報
【特許文献２】特許第３００２６７０号公報
【特許文献３】特許第３０２３３５２号公報
【発明の開示】
【発明が解決しようとする課題】
【０００５】
建築材は大きな面積を有するので、表面柄パターンを記憶するのにその表面柄のすべてを記憶するのはメモリ領域の大きさ及びコンピュータの処理速度の観点において効率的でなく、ほとんどの表面柄が繰返しパターンであるところから、その繰返し単位の表面柄を記憶しておくことが望ましい。しかし、建築材のデザイン設計をする際には、この表面柄繰返し単位であってもまだ、大きすぎてそのまた一部を表示することになるが、単純にその一部を表示するとその表面柄の特徴をよく表しているとは言えない部分を表示してしまうことに成りかねない。
【０００６】
本発明は、上記問題点に鑑み、建築材の表面柄繰返し単位の中のその表面柄の特徴をよく表す部分を初期表示ユニットとして記憶しておいて、その表面柄を表示する際には、まずその初期表示ユニットを表示することができる建築材設計支援システム及びプログラムを提供することを目的とする。
【課題を解決するための手段】
【０００７】
本発明の建築材設計支援システムは、表面柄の繰り返し単位である表面柄繰返しユニットの表面柄パターンデータ及びその中の初期表示領域データである初期表示ユニットを記憶する表面柄パターンデータファイルと、テクスチャパターンを記憶するテクスチャパターンデータファイルと、目地色パターンを記憶する目地色パターンデータファイルと、前記表面柄パターンデータファイルに記録されている表面柄パターンの１つを選択してその初期表示ユニット領域を読み出す表面柄パターン選択手段と、前記テクスチャパターンデータファイルに記録されているテクスチャパターンを選択して読み出すテクスチャパターン選択手段と、前記目地色パターンデータファイルに記録されている目地色パターンの１つを選択して読み出す目地色パターン選択手段と、前記表面柄パターン選択手段によって読み出した表面柄パターンの凸部に前記テクスチャパターン選択手段によって読み出したテクスチャパターンを割り当て、表面柄パターンの目地部に前記目地色パターン選択手段によって読み出した目地色を割り当てる画像合成手段と、該画像合成手段によって表面柄パターンにテクスチャパターン及び目地色パターンが割り当てられた表面柄を表示する表示手段と、該表示手段によって表示されている表面柄をスクロールするスクロール手段とを備えることを特徴とする。
【０００８】
また、前記テクスチャパターン選択手段は、複数のテクスチャパターンを選択して、各テクスチャパターンの割り付け割合を指定することで、複数のテクスチャパターンによる複雑な表面柄のデザイン設計をすることができる。
【０００９】
また、本発明はコンピュータを、表面柄の繰り返し単位である表面柄繰返しユニットの表面柄パターンデータ及びその中の初期表示領域データである初期表示ユニットを記憶する表面柄パターンデータファイルと、テクスチャパターンを記憶するテクスチャパターンデータファイルと、目地色パターンを記憶する目地色パターンデータファイルと、前記表面柄パターンデータファイルに記録されている表面柄パターンの１つを選択してその初期表示ユニット領域を読み出す表面柄パターン選択手段と、前記テクスチャパターンデータファイルに記録されているテクスチャパターンを選択して読み出すテクスチャパターン選択手段と、前記目地色パターンデータファイルに記録されている目地色パターンの１つを選択して読み出す目地色パターン選択手段と、前記表面柄パターン選択手段によって読み出した表面柄パターンの凸部に前記テクスチャパターン選択手段によって読み出したテクスチャパターンを割り当て、表面柄パターンの目地部に前記目地色パターン選択手段によって読み出した目地色を割り当てる画像合成手段と、該画像合成手段によって表面柄パターンにテクスチャパターン及び目地色パターンが割り当てられた表面柄を表示する表示手段と、該表示手段によって表示されている表面柄をスクロールするスクロール手段とを備えることを特徴とする建築材設計支援システムとして機能させるためのプログラムである。
【発明の効果】
【００１０】
本発明によれば、各表面柄パターンを選択して表示する際に、表面柄繰返しユニットの中のその表面柄の特徴をよく表す領域を初期表示ユニットとして最初に表示することができるので、デザイン設計の操作性が高まる。
【発明を実施するための最良の形態】
【００１１】
以下、添付図面を参照しながら本発明を実施するための最良の形態について詳細に説明する。
【実施例】
【００１２】
図１は、本発明の一実施例による建築材設計支援システムで用いる表面柄パターンの例を示す図である。窯業系（セメント系）外壁板の場合、例えば型板の数の表面柄パターン（Ａ１，Ａ２，Ａ３）が使用される。これらの表面柄パターンを、凸部の区割り画像データ（目地部の幅と位置に関する情報）として記憶しておく。
【００１３】
外壁板をシミュレートする場合には、記憶した複数の表面柄パターンの中から１つの表面柄パターンを選択して使用する。
【００１４】
図２は、本発明の一実施例による建築材設計支援システムで用いる凸部テクスチャパターンの例を示す図である。凸部テクスチャパターンは、下地外観と、そこに散在する粒感発現体（その大きさ、形状と、位置情報）の２つの属性情報とからなる画像データ（Ｂ１，Ｂ２，Ｂ３，Ｂ４，Ｂ５，Ｂ６）である。
【００１５】
外壁板をシミュレートする場合には、記憶した複数の凸部テクスチャパターンの中から１〜複数個のパターンを選択して、それぞれのパターンについて、凸部割り付け割合を指定する（詳しくは図４及び図１１で説明する）。
【００１６】
図３は、本発明の一実施例による建築材設計支援システムで用いる目地色パターンの例を示す図である。目地色パターンは、用意するシーリング剤についての色数（Ｃ１，Ｃ２，Ｃ３，Ｃ４，Ｃ５，Ｃ６）のカラーパターンとなる。
【００１７】
外壁板をシミュレートする場合には、記憶した複数の目地色パターンの中から１個のカラーパターンを選択する。
【００１８】
図４は、本発明の一実施例による建築材設計支援システムで用いる凸部テクスチャパターンの変化の例を示す図である。上述のように凸部テクスチャパターンは１〜複数個選択してその割り付け割合を指定することができる。ここでは、表面柄パターンとしてＡ１、目地色パターンとしてＣ１、凸部テクスチャパターンとしてＢ３，Ｂ４，Ｂ５をＢ３：Ｂ４：Ｂ５＝４０：４５：１０（目地部もあるので凸部テクスチャパターンの合成は１００未満である）の割り付け割合で選択した場合の外壁板の所定部分の外観パターンを示している。
【００１９】
図５は、本発明の一実施例による建築材設計支援システムでシミュレートされた外壁板外観の表示例を示す図である。図５(a)は、長尺外壁板Ｂ全体を左右方向に２列、上下方向に３列配置した状態を表示しており、外壁部の想定施工外観が検討できるようにしている。これにより隣の外壁板にまたがった柄のつながり具合を見ることができる。図５(b)は、その表示の一部分を説明するものである。デザイン設計の過程においては、外壁板の所定部分を初期表示ユニットＤＵとして表示するが、それより大きくて外壁板の柄の繰り返し単位である表面柄繰返しユニットＣＵがあり、この表面柄繰返しユニットＣＵの繰返しによって外壁板Ｂ全体の柄が決められる。このように、デザイン設計の過程においては、初期表示ユニットＤＵを（場合によってはスクロールして）表示して、設計が仮に決められたところで、図５(a)に示すように全体を概観する表示をする。この表面柄繰返しユニットＣＵは表面柄に応じた大きさ及び縦横比を有するが、初期表示ユニットＤＵは表面柄によらない単一の縦横比を有する。表面柄パターンデータファイル１３には、各柄について、表面柄繰返しユニットＣＵの柄データとその中の初期表示ユニットＤＵの領域情報が記憶されている。
【００２０】
図６は、本発明の一実施例による建築材設計支援システムの構成を示す図である。本実施例は、クライアント側に設置されるクライアント装置１０として実現される。クライアント装置１０は、データファイル作成手段１１、データファイル管理手段１２、表面柄パターンデータファイル１３、凸部テクスチャパターンデータファイル１４、目地色パターンデータファイル１５、組合せ参考パターンデータファイル１６、キーボード１７、マウス１８、カラー調製手段１９、画像合成手段２０、システム調製手段２１、発注管理通信手段２２、及びディスプレー４０を備える。柄見本をデジタルカメラ３０で撮影した画像を取り込んだりして、データファイル作成手段１１は、表面柄パターンデータファイル１３、凸部テクスチャパターンデータファイル１４、目地色パターンデータファイル１５用の各パターンデータを作成し、データファイル管理手段１２がそれぞれのパターンデータをそれぞれのパターンデータファイルである表面柄パターンデータファイル１３、凸部テクスチャパターンデータファイル１４、目地色パターンデータファイル１５に記憶する。なお、組合せに必要な基本ファイルの他に、組合せ見本となる組合せ参考パターンデータファイル１６も備えており、ユーザによる設計に対して、便（アドバイス、ヒント）を与えるようにしている。外壁板の柄デザインの設計の過程においては、画像合成手段２０がユーザの選択と指定に従って各パターンデータファイルである表面柄パターンデータファイル１３、凸部テクスチャパターンデータファイル１４、目地色パターンデータファイル１５から各パターンデータを読み出して画像合成する。その際にカラー調製手段１９によって色調製する。デザイン設計が完成するとシステム全体を調製しているシステム調製手段２１を介してそのデザインを発注管理通信手段２２がインターネットを介して建材メーカのサーバ装置などに送信する。
【００２１】
図７は、本発明の一実施例による建築材設計支援システムを用いるサーバ・クライアント運用システムの構成を示す図である。工務店などに設置されるクライアント装置１０から建材メーカに設置されたサーバ装置５２に、ユーザが自ら設計したデザインについての試作画像情報を送信すると、受注管理システム５１は、その通信がそのデザインの外壁板の発注であれば直接に工場の製造管理システム６１に、又は試作依頼であれば試作管理システム６２にそのデザインを送る。製造管理システム６１は受信したデザインの外壁板を製造管理する。試作管理システム６２は受信したデザインの外壁板を試作し、試作品配送システム６３がその試作品のデジタル写真データを、ユーザに送信する。なお、試作見本の実物を、ユーザの手元に届けるようにすることも可能である。このようなシステムにより試作依頼された又は製造依頼されたデザインをクライアントから入手できるので、発注にあたっての意思決定に確実性を与える。
【００２２】
図８は、本発明の一実施例による建築材設計支援システムを用いて設計した試作結果データの例を示す図である。試作品配送システム６３がこれら試作品のデジタル写真データをクライアントに送信する。
【００２３】
図９は、本発明の一実施例による建築材設計支援システムにおける作業メニュー選択画面の例を示す図である。この作業メニュー選択画面は、表面柄パターンを選択する作業に進むための表面柄ボタン７１、凸部テクスチャパターンを選択する作業に進むための凸部テクスチャパターンボタン７２、目地色パターンを選択する作業に進むための目地色ボタン７３、及び完成デザインを建材メーカのサーバ装置５２に送信する作業に進むための通信画面へボタン７４を備える。
【００２４】
図１０は、本発明の一実施例による建築材設計支援システムにおける表面柄パターン選択画面の例を示す図である。この表面柄パターン選択画面は、パターン表示ウインドウＰＤ、サンプル選択ボタン８１、スクロールバー８２、ジョグダイヤル８３、表示ボタン８４、決定ボタン８５、作業選択画面へ戻るボタン８６、及びスクロールバー８７を備える。スクロールバー８２でサンプル選択ボタン８１をスクロールしてサンプル選択ボタン８１を選択して、表示ボタン８４をクリックと、パターン表示ウインドウＰＤに外壁板の初期表示ユニットＤＵ（図５(b)参照）が表示される。この表示はスクロールバー８７でスクロールすることができる。ジョグダイヤル８３によって、表示されている表面柄パターンのカラー調製をすることができる。目地部は例えばグレーの仮色表示をしておく。この表面柄パターンでよければ、決定ボタン８５をクリックして確定して、作業選択画面へ戻るボタン８６をクリックして、作業選択画面に戻る。
【００２５】
図１１は、本発明の一実施例による建築材設計支援システムにおける凸部テクスチャパターン選択画面の例を示す図である。この凸部テクスチャパターン選択画面は、パターン表示ウインドウＰＤ、サンプル選択ボタン９１、スクロールバー９２、発現率入力欄９３、スクロールバー９４、表示ボタン９６、決定ボタン９７、作業選択画面へ戻るボタン９８、及びスクロールバー９９を備える。スクロールバー９２でサンプル選択ボタン９１をスクロールしてサンプル選択ボタン９１を選択し、スクロールバー９４で発現率入力欄９３をスクロールして発現率を入力して、表示ボタン９６をクリックすと、パターン表示ウインドウＰＤに、例えば表面柄パターンＡ１に凸部テクスチャパターンＢ１を選択した合成画像が表示される。この表示はスクロールバー９９でスクロールすることができる。この表面柄パターン及び凸部テクスチャパターンでよければ、決定ボタン９７をクリックして確定して、作業選択画面へ戻るボタン９８をクリックして、作業選択画面に戻る。
【００２６】
図１２は、本発明の一実施例による建築材設計支援システムにおける目地色パターン選択画面の例を示す図である。この目地色パターン選択画面は、パターン表示ウインドウＰＤ、サンプル選択ボタン１０１、希望試作番号入力欄１０２、表示ボタン１０３、決定ボタン１０４、表面柄選択画面へ戻るボタン１０５、作業選択画面へ戻るボタン１０６、及びスクロールバー１０７を備える。サンプル選択ボタン１０１を選択し、希望試作番号を入力して、表示ボタン９６をクリックすると、パターン表示ウインドウＰＤに、例えば表面柄パターンＡ１に凸部テクスチャパターンＢ１及び目地色パターンＣ１を選択した合成画像が表示される。この表示はスクロールバー１０７でスクロールすることができる。この表面柄パターン、凸部テクスチャパターン及び目地色パターンでよければ、決定ボタン１０４をクリックして確定して、表面柄選択画面へ戻るボタン１０５をクリックして次のデザインに進むか、又は作業選択画面へ戻るボタン９８をクリックして、作業選択画面に戻る。
【００２７】
図１３は、本発明の一実施例による建築材設計支援システムにおける通信連絡画面の例を示す図である。この通信連絡画面は、試作サンプル画像表示ウインドウＳＤ、希望試作番号表示欄１１１、スクロールバー１１２、試作依頼ボタン１１３、発注ボタン１１４、通信連絡ボタン１１５、及び終了ボタン１１６を備える。スクロールバー１１２で希望試作番号をスクロールして希望試作番号を選択し、試作サンプル画像表示ウインドウＳＤでサンプルを確認して、試作依頼ボタン１１３をクリックして試作を依頼するか、又は発注ボタン１１４をクリックして発注する。実際には通信連絡ボタン１１５をクリックして通信を開始する、作業が終われば終了ボタン１１６をクリックしてプログラムを終了する。
【００２８】
なお、本発明は上記実施例に限定されるものではない。
【００２９】
本発明の建築材設計支援システムは、コンピュータを本建築材設計支援システムとして機能させるためのプログラムでも実現される。このプログラムは、コンピュータで読み取り可能な記録媒体に格納されていてもよい。
【００３０】
このプログラムを記録した記録媒体は、図６に示されるクライアント装置１０のＲＯＭそのものであってもよいし、また、外部記憶装置としてＣＤ−ＲＯＭドライブ等のプログラム読取装置が設けられ、そこに記録媒体を挿入することで読み取り可能なＣＤ−ＲＯＭ等であってもよい。
【００３１】
また、上記記録媒体は、磁気テープ、カセットテープ、フレキシブルディスク、ハードディスク、ＭＯ／ＭＤ／ＤＶＤ等、又は半導体メモリであってもよい。
【００３２】
なお、建築板の代表される部分パターンを使用して、画像形成シミュレーションを行う場合、ディスプレーの表示解像度も影響してくるので、実際の画面表示にあたっては、更なるデータ圧縮が必要になるが、最初から表示解像度を考えてのデータ削減を行うと、拡大画像表示にしたときに、正確な画像を再現することはできない。本発明は、単なるデータ削減応用例ではなく、データ取得したときの解像度のデータ（情報）をデータベース化して保存しておき、それを基に、画面上でシミュレーションを可能としており、その結果は、ただちにインクジェット印刷制御データに反映できる。
【図面の簡単な説明】
【００３３】
【図１】本発明の一実施例による建築材設計支援システムで用いる表面柄パターンの例を示す図である。
【図２】本発明の一実施例による建築材設計支援システムで用いる凸部テクスチャパターンの例を示す図である。
【図３】本発明の一実施例による建築材設計支援システムで用いる目地色パターンの例を示す図である。
【図４】本発明の一実施例による建築材設計支援システムで用いる凸部テクスチャパターンの変化の例を示す図である。
【図５】本発明の一実施例による建築材設計支援システムでシミュレートされた外壁板外観の表示例を示す図である。
【図６】本発明の一実施例による建築材設計支援システムの構成を示す図である。
【図７】本発明の一実施例による建築材設計支援システムを用いるサーバ・クライアント運用システムの構成を示す図である。
【図８】本発明の一実施例による建築材設計支援システムを用いて設計した試作結果データの例を示す図である。
【図９】本発明の一実施例による建築材設計支援システムにおける作業メニュー選択画面の例を示す図である。
【図１０】本発明の一実施例による建築材設計支援システムにおける表面柄パターン選択画面の例を示す図である。
【図１１】本発明の一実施例による建築材設計支援システムにおける凸部テクスチャパターン選択画面の例を示す図である。
【図１２】本発明の一実施例による建築材設計支援システムにおける目地色パターン選択画面の例を示す図である。
【図１３】本発明の一実施例による建築材設計支援システムにおける通信連絡画面の例を示す図である。
【符号の説明】
【００３４】
１０  クライアント装置
１１  データファイル作成手段
１２  データファイル管理手段
１３  表面柄パターンデータファイル
１４  凸部テクスチャパターンデータファイル
１５  目地色パターンデータファイル
１６  組合せ参考パターンデータファイル
１７  キーボード
１８  マウス
１９  カラー調製手段
２０  画像合成手段
２１  システム調製手段
２２  発注管理通信手段
３０  デジタルカメラ
４０  ディスプレー
５１  受注管理システム
５２  サーバ装置
６１  製造管理システム
６２  試作管理システム
６３  試作品配送システム
７１  表面柄ボタン
７２  凸部テクスチャパターンボタン
７３  目地色ボタン
７４  通信画面へボタン
８１  サンプル選択ボタン
８２  スクロールバー
８３  ジョグダイヤル
８４  表示ボタン
８５  決定ボタン
８６  作業選択画面へ戻るボタン
８７  スクロールバー
９１  サンプル選択ボタン
９２  スクロールバー
９３  発現率入力欄
９４  スクロールバー
９６  表示ボタン
９７  決定ボタン
９８  作業選択画面へ戻るボタン
９９  スクロールバー
１０１  サンプル選択ボタン
１０２  希望試作番号入力欄
１０３  表示ボタン
１０４  決定ボタン
１０５  表面柄選択画面へ戻るボタン
１０６  作業選択画面へ戻るボタン
１０７  スクロールバー
１１１  希望試作番号表示欄
１１２  スクロールバー
１１３  試作依頼ボタン
１１４  発注ボタン
１１５  通信連絡ボタン
１１６  終了ボタン
ＣＵ  表面柄繰返しユニット
ＤＵ  初期表示ユニット
ＰＤ  パターン表示ウインドウ
【図１】
2006155046.tif 000003
【図２】
2006155046.tif 000004
【図３】
2006155046.tif 000005
【図４】
2006155046.tif 000006
【図５】
2006155046.tif 000007
【図６】
2006155046.tif 000008
【図７】
2006155046.tif 000009
【図８】
2006155046.tif 000010
【図９】
2006155046.tif 000011
【図１０】
2006155046.tif 000012
【図１１】
2006155046.tif 000013
【図１２】
2006155046.tif 000014
【図１３】
2006155046.tif 000015